(57)【要約】【課題】接客用カウンターにおいて、手荷物棚上へ手荷物を置いたために、店員との距離は大となってその対応に不便となるとともに、手荷物棚の突出量に応じて、顧客の後側の通路幅が狭められてしまうことがないようにする。【解決手段】接客用カウンター１の前側に、手荷物載置面を、カウンターの天板２よりも下方において後下方へ傾斜させた手荷物棚を取付ける。【選択図】        図１
2004321503.tif 000002
【特許請求の範囲】
【請求項１】
接客用カウンターの前側に、手荷物載置面を、カウンターの天板よりも下方において後下方へ傾斜させた手荷物棚を取付けたことを特徴とする手荷物棚を備える接客用カウンター。
【請求項２】
手荷物載置面の奥行寸法を、予想される手荷物の奥行寸法よりも小としたことを特徴とする請求項１記載の手荷物棚を備える接客用カウンター。
【請求項３】
手荷物載置面の後部に、釣銭等の滑り落ちた小物を受支するための水平受部を設けたことを特徴とする請求項１または２記載の手荷物棚を備える接客用カウンター。
【請求項４】
手荷物載置面の前縁を粗面としたことを特徴とする請求項１〜３のいずれかに記載の手荷物棚を備える接客用カウンター。
【請求項５】
手荷物載置面の前縁に、摩擦係数の大きいパッド材を貼設した請求項１〜３のいずれかに記載の手荷物棚を備える接客用カウンター。
【請求項６】
上端に後向係止片を備える支持杆を手荷物棚より上向きに突設し、この後向係止片を、接客用カウンターの前面板の上端に係止することにより、手荷物棚を取付けたことを特徴とする請求項１〜５のいずれかに記載の手荷物棚を備える接客用カウンター。
【発明の詳細な説明】
【０００１】
【発明の属する技術分野】
本発明は、前面に手荷物載置棚を備える接客用カウンターに関する。
【０００２】
【従来の技術】
商業施設等の接客用カウンターにおいて、その前側に、顧客が携帯している手荷物を一時的に置くための手荷物棚を設け、商品や金銭等の受渡しに便とすることが多い。
従来のこの手荷物棚は、例外なく上面が水平となっており、接客用カウンターの上面よりやや低い個所において、前向きに突設されている。
【０００３】
【発明が解決しようとする課題】
顧客の手荷物を手荷物棚上へ安定よく置くためには、手荷物棚の突出寸法を、予想される手荷物の大きさや形態に応じて定める必要があるため、この突出量は、通常かなり大である。
【０００４】
そのため、店員との距離は大となってその対応に不便となるとともに、手荷物棚の突出量に応じて、顧客の後側の通路幅が狭められてしまう。
【０００５】
【課題を解決するための手段】
本発明は、従来の接客用カウンターにおける手荷物台による上記した諸問題を解決することを目的とするもので、その具体的手段は、次の通りである。
（１）  接客用カウンターの前側に、手荷物載置面を、カウンターの天板よりも下方において後下方へ傾斜させた手荷物棚を取付ける。
【０００６】
（２）  上記（１）項において、手荷物載置面の奥行寸法を、予想される手荷物の奥行寸法よりも小とする。
【０００７】
（３）  上記（１）項または（２）項において、手荷物載置面の後部に、釣銭等の滑り落ちた小物を受支するための水平受部を設ける。
【０００８】
（４）  上記（１）〜（３）項のいずれかにおいて、手荷物載置面の前縁を粗面とする。
【０００９】
（５）  上記（１）〜（３）項のいずれかにおいて、手荷物載置面の前縁に、摩擦係数の大きいパッド材を貼設する。
【００１０】
（６）  上記（１）〜（５）項のいずれかにおいて、上端に後向係止片を備える支持杆を手荷物棚より上向きに突設し、この後向係止片を、接客用カウンターの前面板の上端に係止することにより、手荷物棚を取付ける。
【００１１】
【発明の実施の形態】
（１）は接客用カウンターで、天板（２）の前端下面に垂直の前面板（３）を備え、前面板（３）の上面要所には切込み（４）を設けて、天板（２）との間に若干の間隙を形成してある。
【００１２】
（５）は、上面を後向下傾する手荷物載置面とした手荷物台で、プラスチックを成形してなり、後向下傾するとともに、後端部に水平受部（６）を備える上面（７）の前端より、側面視半円弧状の前縁（８）を介して、後下方へ傾斜する下面（９）を連設し、かつ上面（７）の水平受部（６）の後端と下面（９）の後端に亘って、垂直の後面（１０）を設けたものである。
【００１３】
前縁（８）の周囲、少くともその上面は、粗面としておくのが望ましい。または、その上面に、ゴム等の摩擦係数の大きいパッド材（図示略）を貼設してもよい。
【００１４】
前縁（８）の最高点から後面（１０）までの部分が、手荷物等（１１）の載置面となるが、その奥行き寸法は、載置が予想される手荷物等（１１）の奥行き寸法よりも小としてある。
【００１５】
手荷物台（５）の垂直の後面には、上方へ突出し、かつ上端に後向係止片（１２）を有する左右２本の支持杆（１３）（１３）が、皿頭ねじ（１４）（１４）をもって止着されている。
【００１６】
支持杆（１３）（１３）の上端の後向係止片（１２）（１２）を前面板（３）の上端の切込み（４）へ嵌合することにより、手荷物台（５）は前面板（３）の前面に取付けられている。
【００１７】
支持杆（１３）における手荷物台（５）より上方へ突出する部分は、上端の後向鈎片（１５）を、天板（２）の前縁よりやや後方において、天板（２）の下面と前記後向係止片（１２）との間に挟支したカバー板（１６）により覆われている。すなわち、カバー板（１６）の上端は、天板（２）の前縁よりやや後位にある。
カバー板（１６）を前面板（３）の前面にビス等をもって固着することもある。
【００１８】
手荷物等（１１）を手荷物台（５）に載せると、まず手荷物等（１１）の底面は、手荷物台（５）の前縁（８）の上面に当たり、その後方に位置する手荷物等（１１）の重心の作用により、手荷物等（１１）は後向回転して、天板（２）の前縁に当接し、安定よく支持される。
【００１９】
このようにして、いったん手荷物台（５）へ支持された手荷物等（１１）は、単なる前向きの水平力だけでは、容易に手荷物台（５）から滑べり落ちることはない。
【００２０】
【発明の効果】
請求項１記載の発明：図１に仮想線で示すように、手荷物等は、手荷物台の前縁（８）と天板の前縁との２点において後傾状態で支持されるので、天板から手荷物等の突出量は、手荷物台が水平である場合に比してかなり小となる。従って、店員との対応に不便となることは少なく、また客の後部の通路部分を狭めることも小である。
さらに、いったん手荷物台上に支持された手荷物等は、単なる前向きの水平力だけでは滑り落ちることはなく、安全である
【００２１】
請求項２記載の発明：手荷物等は、より安全に支持される。
【００２２】
請求項３記載の発明：手荷物載置面上を滑り落ちた釣銭等の小物を、見失うことなく拾い集めることができる。
【００２３】
請求項４記載の発明：手荷物の前部が、滑ることなく支持される。
【００２４】
請求項５記載の発明：手荷物が手荷物棚から滑り落ちるのを、より確実に防止することができる。
【００２５】
請求項６記載の発明：手荷物台を、カウンターの前面に容易に着脱することができる。
【図面の簡単な説明】
【図１】本発明の一実施形態を略示する縦断側面図である。
【図２】図１を左方より見た正面図である。
【符号の説明】
（１）接客用カウンター
（２）天板
（３）前面板
（４）切込み
（５）手荷物台
（６）水平受部
（７）上面
（８）前縁
（９）下面
（１０）後面
（１１）手荷物等
（１２）後向係止片
（１３）支持杆
（１４）皿頭ねじ
（１５）後向鈎片
（１６）カバー板
【図１】
2004321503.tif 000003
【図２】
2004321503.tif 000004